(57)【要約】【課題】エンボスフィルムの損傷の確認及び交換が容易にできると共に、エンボスフィルムの凸状突起自体を着色することなく、様々なデザインを提供する。【解決手段】一方の面に複数の凸状突起３１が形成されたエンボスフィルム３と、エンボスフィルム３の複数の凸状突起３１が形成されていない面側に配置され、複数の凸状突起３１と重なり合う位置に、複数の凸状突起３１の底面形状と略同一形状の印が描かれた描画シート４と、エンボスフィルム３と描画シート４とを重ね合わせた状態で挟み込むことにより固定する固定子２，５とを備える。【選択図】図２
0003157473.tif 000002
【実用新案登録請求の範囲】
【請求項１】
一方の面に複数の凸状突起が形成されたエンボスフィルムと、
前記エンボスフィルムの前記複数の凸状突起が形成されていない面側に配置され、前記複数の凸状突起と重なり合う位置に、前記複数の凸状突起の底面形状と略同一形状の印が描かれた描画シートと、
前記エンボスフィルムと前記描画シートとを重ね合わせた状態で挟み込むことにより固定する固定子と、
を備えたことを特徴とする緩衝シート。
【請求項２】
前記描画シートは、
前記複数の凸状突起と重なり合う位置のうち４つ以上の位置に、前記固定子が前記エンボスフィルムと、前記描画シートとを挟み込むための貫通穴が設けられた
ことを特徴とする請求項１記載の緩衝シート。
【請求項３】
前記描画シートは、
前記複数の凸状突起と重なり合う位置のうち外周部の４つ以上の位置に、前記固定子が前記エンボスフィルムと、前記描画シートとを挟み込むための貫通穴が設けられた
ことを特徴とする請求項２記載の緩衝シート。
【請求項４】
前記描画シートは、
前記複数の凸状突起と重なり合う位置のうち外周部の４つ以上の位置及び中央部の位置に、前記固定子が前記エンボスフィルムと、前記描画シートとを挟み込むための貫通穴が設けられた
ことを特徴とする請求項２記載の緩衝シート。
【請求項５】
前記固定子は、
前記エンボスフィルム側から挟み込むための第１の結合子と、前記描画シート側から挟み込むための第２の結合子とを備え、
前記第１の結合子の表面は、シールが貼付可能な略平面形状を有する
ことを特徴とする請求項１〜４のうちいずれか１項記載の緩衝シート。
【請求項６】
前記固定子は、
前記エンボスフィルム側から挟み込むための第１の結合子と、前記描画シート側から挟み込むための第２の結合子とを備え、
前記第１の結合子は、前記複数の凸状突起の底面形状に沿うように形成された
ことを特徴とする請求項１記載の緩衝シート。
【請求項７】
請求項１〜６いずれか１項記載の緩衝シートと、
前記緩衝シートを取り出し可能に収納するために、当該緩衝袋の表面に設けられた光透過性の収納部と、
を備えたことを特徴とする緩衝袋。
【請求項８】
請求項１〜６いずれか１項記載の緩衝シートにより袋が形成された
ことを特徴とする緩衝袋。
【考案の詳細な説明】
【技術分野】
【０００１】
本考案は、緩衝性のある緩衝シート及びこの緩衝シートを備えた緩衝袋に関する。
【背景技術】
【０００２】
緩衝性が要求される宅配便や、書籍の輸送、保冷パック、ショッピングバッグ等には、緩衝性能を持たせた袋が用いられる。例えば、特許文献１には、クラフト紙等の封筒を気泡シート（エンボスフィルム）で内張りし、緩衝性能を持たせた構造であり、取り扱いに注意を要する物品の輸送などに使用される角底袋が提案されている。
【０００３】
しかしながら、特許文献１に記載の角底袋は、気泡シートを角底袋の内側全面に接着しているため、使用後に、分別処理のため気泡シートを角底袋から剥がすのが非常に困難であった。
【０００４】
そこで、特許文献２には、プラスチックフィルムの全面に多数の凸状突起を形成したエンボスフィルムの両面を、平面状プラスチックフィルムにより貼り合わせ、エンボスフィルムの凸状突起内部に気泡を形成してなる気泡シートを角底袋本体に上部のみ接着してなる緩衝性角底袋が提案されている。
【先行技術文献】
【特許文献】
【０００５】
【特許文献１】特開２００１−１８７４２９号公報
【特許文献２】特開２００６−８９１０４号公報
【考案の概要】
【考案が解決しようとする課題】
【０００６】
しかしながら、特許文献１に記載の角底袋及び特許文献２に記載の緩衝性角底袋では、気泡シートが袋の内側に配置するように接着されているので、気泡シートの気泡が潰れ、緩衝効果が失われていることに利用者が気付かず、これらの袋を使い続けてしまうことがあった。
【０００７】
また、気泡シートをショッピングバッグ等の袋に外張りする場合、デザイン性を向上するために、気泡シートに文字やイラストを描画することが考えられる。
【０００８】
しかしながら、気泡シートには凸状突起が多数備えられているので、気泡シートに文字やイラストを描画するのは非常に困難であった。仮に、凸状突起自体に着色して文字やイラストを描画したとしても、凸状突起の表面は波打っており、着色することでこの波打ちが強調されるので、デザイン性が低くなるという問題があった。
【０００９】
本考案は、上記課題に鑑みてなされたものであり、エンボスフィルムの損傷の確認及び交換が容易にできると共に、エンボスフィルムの凸状突起自体を着色することなく、様々なデザインを提供できる緩衝シート及び緩衝袋を提案することを目的とする。
【課題を解決するための手段】
【００１０】
上記目的を達成するため、本考案に係る緩衝シートの第１の特徴は、一方の面に複数の凸状突起が形成されたエンボスフィルムと、前記エンボスフィルムの前記複数の凸状突起が形成されていない面側に配置され、前記複数の凸状突起と重なり合う位置に、前記複数の凸状突起の底面形状と略同一形状の印が描かれた描画シートと、前記エンボスフィルムと前記描画シートとを重ね合わせた状態で挟み込むことにより固定する固定子と、を備えたことにある。
【００１１】
上記目的を達成するため、本考案に係る緩衝シートの第２の特徴は、前記描画シートは、前記複数の凸状突起と重なり合う位置のうち４つ以上の位置に、前記固定子が前記エンボスフィルムと、前記描画シートとを挟み込むための貫通穴が設けられたことにある。
【００１２】
上記目的を達成するため、本考案に係る緩衝シートの第３の特徴は、前記描画シートは、前記複数の凸状突起と重なり合う位置のうち外周部の４つ以上の位置に、前記固定子が前記エンボスフィルムと、前記描画シートとを挟み込むための貫通穴が設けられたことにある。
【００１３】
上記目的を達成するため、本考案に係る緩衝シートの第４の特徴は、前記描画シートは、前記複数の凸状突起と重なり合う位置のうち外周部の４つ以上の位置及び中央部の位置に、前記固定子が前記エンボスフィルムと、前記描画シートとを挟み込むための貫通穴が設けられたことにある。
【００１４】
上記目的を達成するため、本考案に係る緩衝シートの第５の特徴は、前記固定子は、前記エンボスフィルム側から挟み込むための第１の結合子と、前記描画シート側から挟み込むための第２の結合子とを備え、前記第１の結合子の表面は、シールが貼付可能な略平面形状を有することにある。
【００１５】
上記目的を達成するため、本考案に係る緩衝シートの第６の特徴は、前記固定子は、前記エンボスフィルム側から挟み込むための第１の結合子と、前記描画シート側から挟み込むための第２の結合子とを備え、前記第１の結合子は、前記複数の凸状突起の底面形状に沿うように形成されたことにある。
【００１６】
上記目的を達成するため、本考案に係る緩衝袋の第１の特徴は、上記第１〜６の特徴のいずれか１項記載の緩衝シートと、前記緩衝シートを取り出し可能に収納するために、当該緩衝袋の表面に設けられた光透過性の収納部と、を備えたことにある。
【００１７】
上記目的を達成するため、本考案に係る緩衝袋の第２の特徴は、上記第１〜６の特徴のいずれか１項記載の緩衝シートにより袋が形成されたことにある。
【考案の効果】
【００１８】
本考案に係る緩衝シート及び緩衝袋によれば、エンボスフィルムの損傷の確認及び交換が容易にできると共に、エンボスフィルムの凸状突起自体を着色することなく、様々なデザインを提供できる。
【図面の簡単な説明】
【００１９】
【図１】本考案の実施例１に係る緩衝シートを備えた緩衝袋の外観を示した斜視図である。
【図２】本考案の実施例１に係る緩衝シートの構成を示した構成図である。
【図３】（ａ）は、本考案の実施例１に係る緩衝シートが備えるエンボスフィルムの一例を示した図であり、（ｂ）は、（ａ）に示したエンボスフィルムに対応する描画シートの一例を示した図である。
【図４】本考案の実施例１に係る緩衝シートの分解側面図である。
【図５】本考案の実施例１に係る緩衝シートを備えた緩衝袋の正面図である。
【図６】本考案の実施例２に係る緩衝シートが備える結合子の構成を示した図である。
【図７】本考案の実施例３に係る緩衝シートを備えた緩衝袋の展開図である。
【考案を実施するための形態】
【００２０】
以下、本考案を実施するための形態について図面を参照して説明する。
【実施例１】
【００２１】
以下、本考案の実施例１に係る緩衝シートを備えた緩衝袋について、図面を参照して詳細に説明する。
【００２２】
図１は、本考案の実施例１に係る緩衝シートを備えた緩衝袋の外観を示した斜視図である。
【００２３】
本考案の実施例１に係る緩衝袋１００は、袋形状を有する本体部１１０と、この本体部１１０の上部開口部に固定された取手部１１１とを備えている。
【００２４】
本体部１１０正面部の表側には、緩衝シート１を取り出し可能に収納するために、収納部１０１が上下に２つ設けられている。この収納部１０１は、図１に示すように、側部が開口するように設けられているので、利用者が緩衝シート１をスライド自在に出し入れすることができる。
【００２５】
図２は、本考案の実施例１に係る緩衝シート１の構成を示した構成図である。なお、図２において、ｘ方向を上側、ｙ方向を下側として説明する。緩衝シート１は、上側が外向きになるように、緩衝袋１００の収納部１０１に収納される。
【００２６】
図２に示すように、本考案の実施例１に係る緩衝シートは、エンボスフィルム３の下側に描画シート４が重ね合わされて、上部の固定子である結合子２と、下部の固定子である結合子５とにより、挟み込むことにより固定される。
【００２７】
エンボスフィルム３は、一方の面（上側の面）の面全体に渡って、複数の凸状突起３１が規則的に格子状に形成されている。複数の凸状突起３１は、それぞれ円柱形状をしており、内部には、圧縮可能な気体が封入されている。このように、エンボスフィルム３は、一方の面（上側の面）の面全体に渡って、複数の凸状突起３１が形成されているので、衝撃を緩衝することができる。
【００２８】
描画シート４は、エンボスフィルム３の下側、即ち、エンボスフィルム３の複数の凸状突起３１が形成されていない面（下側の面）側に配置されている。そして、複数の凸状突起３１と重なり合う位置に、複数の凸状突起３１の底面形状と同じ円形状の描画印が印刷されている。
【００２９】
図３（ａ）は、本考案の実施例１に係る緩衝シート１が備えるエンボスフィルム３の一例を示した図であり、図３（ｂ）は、図３（ａ）に示したエンボスフィルム３に対応する描画シート４の一例を示した図である。
【００３０】
図３（ａ）に示すように、エンボスフィルム３は、一方の面（上側の面）に、横方向に２９個、縦方向に１３個の合計３７７個の凸状突起３１が備えられている。
【００３１】
そして、図３（ｂ）に示すように、描画シート４も同様に、凸状突起３１と重なり合う位置、即ち、横方向に２９個及び縦方向に１３個の合計３７７個の描画印４１が描かれている。この描画印４１は、凸状突起３１の底面の形状と略同一形状、即ち、略円形であり、略同一の大きさを有している。
【００３２】
そのため、利用者は、この描画シート４に描かれた描画印４１のそれぞれを、例えば、様々な色のペンで着色したり、描画印４１に沿って様々な色のシールを貼付したりすることにより、描画シート４上に、ドットパターンの文字やイラストを簡易に描画することができる。
【００３３】
このように、緩衝シート１は、エンボスフィルム３と、利用者により描画された描画シート４とが重ね合わされて構成されるので、利用者は上側からこの緩衝シート１を見ると、光透過性のエンボスフィルム３を介して描画シート４に描画されたドットパターンの文字やイラストが見える。これにより、神秘的な文字やイラストを演出することができる。
【００３４】
また、描画シート４は、凸状突起と重なり合う位置のうち４つ以上の位置に、固定子がエンボスフィルムと描画シートとを挟み込むための貫通穴が設けられている。
【００３５】
図４は、本考案の実施例１に係る緩衝シート１の分解側面図である。
【００３６】
図４に示すように、エンボスフィルム３と描画シート４とを重ね合わせた状態で、結合子２と結合子５とが挟み込むことができるように、描画シート４には、貫通穴４２が設けられている。
【００３７】
また、結合子５には、突出部５ａが設けられており、この凸部５ａが、貫通穴４２を貫通し、凸状突起３１を突き破り、結合子２に設けられた凹部２ａに嵌合又は螺合することにより、結合子２と結合子５とがエンボスフィルム３と描画シート４とを挟み込む。このように、結合子２と結合子５とにより挟み込まれることにより、エンボスフィルム３と描画シート４とが固定されている。そのため、例えば、エンボスフィルム３の一部の凸状突起３１が潰れた場合、利用者は、結合子２と結合子５とを取り外すことにより、簡単にエンボスフィルム３と描画シート４とを分離することができ、これにより、容易に損傷したエンボスフィルム３を交換することができる。
【００３８】
また、結合子２の上部表面は略平面形状を有し、利用者は、結合子２の上部表面にシール６を貼付することができる。そのため、周囲の描画印４１に描画された色に応じて着色されたシール６が結合子２の上部表面に貼付されることにより、結合子２自体の色にかかわらず、周囲の描画印４１と統一感を持たせることができる。
【００３９】
図５は、本考案の実施例１に係る緩衝シート１を備えた緩衝袋１００の正面図である。
【００４０】
図５に示すように、緩衝袋１００は、光透過性の収納部１０１の内部に緩衝シート１が収納されている。そのため、利用者はエンボスフィルム３の凸状突起３１が潰れたことを緩衝袋１００の外側から目視確認することができる。そして、凸状突起３１が潰れたエンボスフィルム３を交換する際には、利用者は収納部１０１から緩衝シート１ごと取り出し、上述したようにエンボスフィルム３を交換することができる。
【００４１】
また、利用者は、緩衝シート１の様々な文字やイラストが描かれた描画シート４を交換することにより、緩衝袋１００の様々なデザインを楽しむことができる。
【００４２】
以上のように、本考案の実施例１に係る緩衝シート１によれば、エンボスフィルム３の損傷の確認及び交換が容易にできると共に、エンボスフィルム３の凸状突起３１自体を着色することなく、様々なデザインを提供できる。
【００４３】
なお、本考案の実施例１では、凸状突起３１と重なり合う位置のうち外周部の四隅の位置に、エンボスフィルム３と描画シート４とを挟み込むための貫通穴４２が設けられた描画シート４を備えた緩衝シート１を例に挙げて説明したがこれに限らない。例えば、外周部の四隅に加え、凸状突起３１と重なり合う位置のうち中央部の位置にエンボスフィルム３と描画シート４とを挟み込むための貫通穴４２を設けるようにしてもよい。
【００４４】
また、本考案の実施例１では、緩衝シート１を備えた緩衝袋１００を例に挙げて説明したが、本考案の実施例１に係る緩衝シート１は、緩衝袋１００に限らず、例えば、手帳等のように、平面部を有するものであり、かつ緩衝シート１を収納するための収納部を備えたものであればどのようなものでも適用可能である。
【００４５】
さらに、本考案の実施例１では、本体部１１０正面部の表側に、緩衝シート１を取り出し可能に収納するために、収納部１０１が上下に２つ設けられた緩衝袋１００を例に挙げて説明したが、収納部１０１の数は２つに限らない。また、本体部１１０正面部に限らず、本体部１１０の側面や底面にも同様に、収納部１０１が設けられていてもよい。
【実施例２】
【００４６】
本考案の実施例１では、上部表面が略平面形状を有する結合子２を備えた緩衝シート１を例に挙げて説明したが、これに限らない。
【００４７】
本考案の実施例２では、上部表面が凸状突起３１の底面形状に沿うように形成された結合子を備えた緩衝シート１Ａを例に挙げて説明する。
【００４８】
図６は、本考案の実施例２に係る緩衝シート１Ａが備える結合子２Ａの構成を示した図である。
【００４９】
図６に示すように、エンボスフィルム３の凸状突起３１は、規則的に格子状に配列されており、本考案の実施例２に係る緩衝シート１Ａが備える結合子２Ａの上部表面は、この３つの凸状突起３１の底面形状に沿うように形成されている。
【００５０】
そして、結合子２Ａに対応する結合子５Ａ（図示しない）には、芯５ｂが設けられており、この芯５ｂが、エンボスフィルム３及び描画シート４を貫通し、結合子２Ａに設けられた凹部２ｃに嵌合又は螺合することにより、結合子２Ａと結合子５Ａとがエンボスフィルム３と描画シート４とを挟み込む。
【００５１】
このように、芯５ｂが、エンボスフィルム３及び描画シート４を貫通するので、描画シート４に貫通穴４２が設けることなく、エンボスフィルム３と描画シート４とを挟み込むことができる。また、結合子２Ａの上部表面形状が、３つの凸状突起３１の底面形状に沿うように形成されているので、描画シート４に描画されたドットパターンの文字やイラストと重なり合わないので、デザイン性がより向上する。
【実施例３】
【００５２】
本考案の実施例１では、緩衝シート１を取り出し可能に収納するために、表面に光透過性の収納部１０１が設けられた緩衝袋１００を例に挙げて説明したが、これに限らない。
【００５３】
本考案の実施例３では、緩衝シート１で本体部を構成した緩衝袋１００Ｂを例に挙げて説明する。
【００５４】
図７は、本考案の実施例３に係る緩衝シートを備えた緩衝袋１００Ｂの展開図である。
【００５５】
図７に示すように、本考案の実施例３に係る緩衝袋１００Ｂは、袋形状を有する本体部１１０Ｂと、この本体部１１０Ｂの上部開口部に固定された取手部１１１とを備えている。
【００５６】
本体部１１０Ｂは、正面、背面、左側面、右側面、及び底面の合計５面が緩衝シート１により形成されている。これらが組み立てられることにより、本体部１１０Ｂは、緩衝シート１により袋形状を構成する。
【００５７】
このように、本考案の実施例３に係る緩衝シートを備えた緩衝袋１００Ｂによれば、緩衝シート１により袋が形成されているので、より簡易な構成で、エンボスフィルム３の損傷の確認及び交換が容易にできると共に、エンボスフィルム３の凸状突起３１自体を着色することなく、様々なデザインを提供することができる。
【符号の説明】
【００５８】
１，１Ａ…緩衝シート
２，２Ａ…結合子
２ａ，２ｃ…凹部
３…エンボスフィルム
４…描画シート
５，５Ａ…結合子
５ａ…凸部
５ａ…突出部
５ｂ…芯
６…シール
３１…凸状突起
４１…描画印
４２…貫通穴
１００…緩衝袋
１０１…収納部
１１０…本体部
１１１…取手部
【図１】
0003157473.tif 000003
【図２】
0003157473.tif 000004
【図３】
0003157473.tif 000005
【図４】
0003157473.tif 000006
【図５】
0003157473.tif 000007
【図６】
0003157473.tif 000008
【図７】
0003157473.tif 000009